(57)【要約】【課題】  複数の機能を持つ電子機器において、各機能で使う電池容量を確実に確保し、他の機能で電池容量を使い過ぎた事により目的の機能が使えなくなることを防ぐ。【解決手段】  複数の機能を持つ電子機器であって、前記電子機器は、電力を供給する１個または複数の電池と、各機能への電力供給を制御する供給電力制御手段と、前記電池の電力容量を検出し、前記供給電力制御手段へ電池電力容量情報を出力する電池容量検出手段を有し、前記電子機器の持つ各機能に対し前記電池電力容量を仮想的に分割し、前記各機能へ割り当てる事により、各機能で使う電池容量を確実に確保し、他の機能で電池容量を使い過ぎた事により目的の機能が使えなくなることを防ぐ。【選択図】        図１
2006087228.tif 000002
【特許請求の範囲】
【請求項１】
複数の機能を持つ電子機器であって、前記電子機器は、電力を供給する１個または複数の電池と、前記電子機器の持つ各機能への電力供給を制御する供給電力制御手段と、前記電池の電池残量を検出し、前記供給電力制御手段へ電池残量情報を出力する電池残量検出手段を有し、前記電子機器の持つ各機能に対し電池電力容量を仮想的に分割し割り当て、各機能は割り当てられた電池電力容量以上に電力を使用する事が出来なくなる事を特徴とする電池電力管理装置。
【請求項２】
１つまたは複数の機能を持つ複数の電子機器と、前記電子機器に電力を供給する１個または複数の電池と、各電子機器への電力供給を制御する供給電力制御手段と、前記電池の残量を検出し、前記供給電力制御手段へ電池残量情報を出力する電池残量検出手段を有し、前記複数の電子機器に対し電池電力容量を仮想的に分割し割り当て、各電子機器が割り当てられた電池電力容量以上に電力を使用する事ができなくなる事を特徴とする電池電力管理装置。
【請求項３】
前記電池は、２次電池により構成される事を特徴とする請求項１または２に記載の電池電力管理装置。
【請求項４】
前記電池は、燃料電池により構成される事を特徴とする請求項１または２に記載の電池電力管理装置。
【発明の詳細な説明】
【技術分野】
【０００１】
本発明は、電子機器に電池電力を供給する為の電池電力管理装置に関する。
【背景技術】
【０００２】
従来の電池電力管理方法には、各機能毎に予め決められた電力供給制限値のそれぞれと電池残量とを比較して、各機能の電池供給制限値が電池残量を下回っている場合に、該当する機能処理部に対する電力供給を停止するか、または警告を発する供給電力制御部を備えることを特徴とするものがある。
【特許文献１】特開２００１−１８６２５１号公報
【発明の開示】
【発明が解決しようとする課題】
【０００３】
最近のＰＤＣ（Ｐｅｒｓｏｎａｌ  Ｄｉｇｉｔａｌ  Ｃｅｌｌｕｌａｒ）やＰＤＡ（Ｐｅｒｓｏｎａｌ  Ｄｉｇｉｔａｌ  Ａｓｓｉｓｔａｎｔ）では、無線通信機能やデジタルカメラ機能、オーディオ再生機能などを搭載し、多機能化してきている。また、スケジュール管理や、電話帳、個人情報等の情報も管理するようになってきており、機器としての重要度が増してきている。しかし、それぞれの機能は消費電力に大きな差があり、消費電力の大きい機能を使いすぎると他の機能が使えなくなる状態になってしまう事がある。電池残量を表示する方法では、残量警告が出た時にはすでに他の機能を十分に使用する電力が残っていない場合や、残りの電力で自分が使おうとしている他の機能を十分に使用出来るかが判断出来ない場合があった。
【０００４】
本発明は、複数の機能を持つ機器の各機能に対して電池電力量を割り当てる事が出来る電池電力管理装置を提供する事を目的とする。
【課題を解決するための手段】
【０００５】
上記目的を達成するために本発明の電池電力管理装置は以下のような構成を備える。即ち、複数の機能を持つ電子機器であって、前記電子機器は、電力を供給する１個または複数の電池と、各機能への電力供給を制御する供給電力制御手段と、前記電池の残量を検出し、前記供給電力制御手段へ電池電力残量情報を出力する電池残量検出手段を有し、前記電子機器の持つ各機能に対し電池電力容量を仮想的に分割し、前記各機能へ割り当てる。
【０００６】
上記目的を達成するために本発明の電池電力管理装置は以下のような構成を備える。即ち、１つまたは複数の機能を持つ複数の電子機器に電力を供給する１個または複数の電池と、各機能や各電子機器への電力供給を制御する供給電力制御手段と、前記電池の残量を検出し、前記供給電力制御手段へ電池残量情報を出力する電池残量検出手段を有し、前記複数の電子機器に対し電池電力容量を仮想的に分割し、割り当てる。
【発明の効果】
【０００７】
従来の技術では、電池電力残量が少なくなると電池残量警告等を発していたが、その時、電池の残量ではすでに十分に機能を使う容量が残っていないという問題があった。本発明では一つの機能で電池電力を使いすぎ、他の機能が使えなくなる事を防ぐ事が出来る。また、機器の各機能に対して電池電力容量を割り当てるので、各機能が必要とする電池電力容量を確実に確保する事が出来る。
【発明を実施するための最良の形態】
【０００８】
以下に、本発明電池電力管理装置の実施の形態を添付図面に示した実施の一例に従って説明する。
【実施例】
【０００９】
図１は本発明の第１実施の形態例の携帯型情報通信機器の構成を示すブロック図である。図１において、１は電子機器へ電力を供給する取り外し可能な２次電池である。２は供給電力制御手段で、電池１の電力を各機能へ供給する事を制御する。３は電池１と通信し、電池残量や電池容量を検出し、供給電力制御手段２へ電池容量情報を送る電池残量検出手段である。４はＣＰＵで携帯型情報通信機器全体の制御を行っている。５はボタンやキーボード、マウスなどユーザーからの入力手段である。６はＬＣＤや、ＬＥＤ、スピーカーなどでユーザーに対して情報を伝える出力手段である。７は、携帯電話機能やＬＡＮなどの通信機能である。８はデジタルカメラ機能で、ＣＣＤやＣＭＯＳなどの受光素子とレンズによって得られた情報を信号処理し画像ファイルに変換しメモリーに保存する。９はオーディオ再生機能で、ＲＯＭや外部メモリーに保存された音楽ファイルを再生しスピーカー等に出力する。１０はＲＡＭで、ＣＰＵ４による処理の実行時、ワークエリアとして使用され、各種データを一時的に保存する。１１はＲＯＭで、ＣＰＵ４により実行される制御プログラムや各種データを格納している。１２は赤外線ポートで、赤外線通信機能を持つ他の電子機器と通信を行う。１３は外部メモリーで、外部メモリーの種類にはＣＦカードやＳＤカード、メモリースティックなどがある。
【００１０】
次に図２のフローチャートを用いて供給電力制御手段２の動作を説明する。まず、電池残量検出手段３により電池１の電池残量を検出する（ステップＳ１）。ステップＳ２にて、電池残量が各機能を使うのに十分有ると判断されると、各機能に電力容量を割り当てる（ステップＳ３）。各機能へ電力を供給する（ステップＳ４）。各機能へ割り当てる電力を設定し直す場合はステップＳ１へ戻る（ステップＳ５）。機能で使用した電力量を計算する（ステップＳ６）。ステップＳ７では、ステップＳ６で算出した電力量がステップＳ３で設定した電力量に達すると、機能への電力供給を停止する（ステップＳ８）。再び機能へ電力容量を割り当てる場合はステップＳ１へ戻る（ステップＳ９）。
【００１１】
次に図３のタイムチャートで動作を説明する。Ｆ１，Ｆ２，Ｆ３，Ｆ４は各々が独立した機能であり、ここではＦ１，Ｆ２，Ｆ３，Ｆ４の各機能に対して電池容量を割り当てる。Ａでは電池容量検出手段２が電池１の容量を検出し、供給電力制御手段に情報を送った状態である。Ｂでは各機能に電池容量を割り当てている。この時、Ｆ３，Ｆ４の様に複数の機能を１つにまとめて容量を割り当てることや、どの機能にも割り当てない容量を作る事も出来る。Ｃでは電子機器を使用し、電池容量が減ってきた状態である。この時、Ｆ２は割り当てられた容量を使い切っているのでこれ以上電力を使う事が出来ない。ＤではＣの状態から各機能への電池容量の割り当てを変更した状態であり、これによりＦ２に電力を供給する事が出来る。ＥではＤの状態から充電を行った状態である。この時、Ｆ１→Ｆ２→Ｆ３→Ｆ４と優先順位を付けておいた場合の状態である。満充電まで充電しなかった場合は、どの機能に優先的に容量を割り当てるかを設定する事が出来る。
【００１２】
図４は電池容量を割り当てる時にＬＣＤなどの出力手段により表示された一例である。２０のカーソルを左右に動かす事によりユーザーは各機能にどれだけ電池容量を割り当てるかを、グラフや機能の使用可能時間、使用可能数量を見ながら設定する事が出来る。
【００１３】
図５は本発明の第２の実施例の携帯型情報通信機器の構成を示すブロック図である。図５において図１のブロック図と同じ部分には同じ符号を用いてあり、その説明は省略する。図１との違いは、一つの機器の中に入っていた各機能が、一つの独立した機器になっている事であり、供給電力制御手段２は各機器への電力供給を制御する。１４は携帯電話などの通信機器である。１５はデジタルカメラ機器である。１６はオーディオ再生機器である。
【００１４】
次に、図２を用いて図５に示す第２の実施例の供給電力制御手段２の動作を説明する。ここでは、図１に示す第１の実施例と異なる部分についてのみ説明する。ステップＳ４では、供給電力制御手段２は各機器に対して電力を供給する。ステップＳ８において、供給電力制御手段２は各機器に対して電力供給を停止する。図１との違いは、各機能が各機器になった事で、その他の動作は同じである。
【００１５】
また、図３、図４についても、図１において各機能に対して電力供給を制御していたものを、図５では各機器に対して電力供給を制御する点が異なり、その他の動作は同じである。
【図面の簡単な説明】
【００１６】
【図１】本発明の第１の実施例の構成を示すブロック図である。
【図２】第１の実施例の制御を表すフローチャートである。
【図３】第１の実施例の動作を示すタイムチャートである。
【図４】第１の実施例の表示を示す図である。
【図５】本発明の第２の実施例の構成を示すブロック図である。
【符号の説明】
【００１７】
１    電池
２    供給電力制御手段
３    電池残量検出手段
４    ＣＰＵ
５    入力手段
６    出力手段
７    通信機能
８    デジタルカメラ機能
９    オーディオ再生機能
１０  ＲＡＭ
１１  ＲＯＭ
１２  赤外線ポート
１３  外部メモリー
１４  通信機器
１５  デジタルカメラ機器
１６  オーディオ再生機器
２０  カーソル
【図１】
2006087228.tif 000003
【図２】
2006087228.tif 000004
【図５】
2006087228.tif 000005
【図３】
2006087228.tif 000006
【図４】
2006087228.tif 000007